(57)【要約】【課題】脚に設けた連結座により複数の椅子を連結および積み重ねが可能な椅子。【解決手段】フレーム１０は、両側に枠状のフレームからなる脚体１１ａ、１１ｂを有し、二つの脚体１１ａ、１１ｂの間を固定パイプ１２で連設固定する。座板２０は、脚体１１ａ、１１ｂの頂端にネジで固定され、背板３０は、二本の背板パイプ１３にネジで固定され、第１の連結座４０は、片側の脚体１１ｂの底部に装着され、第２の連結座５０は、他方の脚体１１ａの底部に装着される。第２の連結座５０は、外側に第２の連結部５１が設けられ、二脚の椅子を相互に隣り合わせると、第１の連結座４０および第２の連結座５０の第１の連結部４１および第２の連結部５１が相互に嵌合し、二脚の椅子が固定される。【選択図】図１
0003163124.tif 000002
【実用新案登録請求の範囲】
【請求項１】
両側に枠状の脚体をそれぞれ有し、前記二つの脚体の間を複数の固定パイプで連結されているフレームと、
前記脚体の枠状の頂辺にネジで固定されている座板と、
二本の背板パイプにネジで固定されている背板と
第１の連結部が外側に設けられている第１の連結座及び第２の連結部が外側に設けられている第２の連結座をそれぞれ前記前記二つの脚体の枠状の底辺のそれぞれに装着し、これら第１の連結座の第１の連結部と第２の連結部の第２の連結部とが相互に嵌合することにより、二脚の椅子が相互に固定されるようにした
ことを特徴とする連結および積み重ねが可能な椅子。
【請求項２】
前記脚体は、頂辺に前記座板を支持する固定板が固設され、ネジにより前記座板を前記固定板上に固定していることを特徴とする請求項１に記載の連結および積み重ねが可能な椅子。
【請求項３】
前記座板は、下方に向かって湾曲して延伸する湾曲部を両側にそれぞれ設けて前記フレームの前記枠状の脚体の両側をしっかり包み込むように挟持して配置され、前記フレームに設けた位置決め孔に対応するように挿着された位置決め突起を底部に設けると共に、前記フレームの固定板をネジで固定する固定孔を底部に設けていることを特徴とする請求項１に記載の連結および積み重ねが可能な椅子。
【請求項４】
前記座板は、前部の両側に凹欠部をそれぞれ設けていることを特徴とする請求項１に記載の連結および積み重ねが可能な椅子。
【請求項５】
前記背板は、その両側にフレームの背板パイプを嵌合する嵌合孔を設けると共に側方からこの嵌合孔に相通する位置決め孔を設けて、前記フレームの前記背板パイプを嵌合し、前記背板パイプの外側に固定孔を設けて、ネジが前記背板の位置決め孔に貫通し、前記背板パイプの前記固定孔を固定することにより前記背板が前記２本の背板パイプの間にしっかり固定されることを特徴とする請求項１に記載の連結および積み重ねが可能な椅子。
【請求項６】
前記第１の連結座は、前記第１の連結部がフックからなり、前記第２の連結座の前記第１の連結部が前記フックを嵌合する挿嵌溝であることを特徴とする請求項１に記載の連結および積み重ねが可能な椅子。
【請求項７】
前記フレームは、前記脚体の底辺部に溝をそれぞれ設け、前記第１の連結座は前記フレームの前記脚体の底部を包み込むように挟持する挟持部を有し、前記挟持部は内側の縁に、前記脚体の底部の前記溝に対して嵌合する嵌合突部を設け、前記第２の連結座は前記フレームの前記脚体の底部を包み込むように挟持する挟持部を具え、前記挟持部は内側の縁に、前記脚体の底部の前記溝に対して嵌合する嵌合突起を設け、前記第１の連結座および前記第２の連結座は前記フレームの前記脚体の底部をしっかり固定することを特徴とする請求項１に記載の連結および積み重ねが可能な椅子。
【請求項８】
前記脚体は、底部に前記第１の連結座および前記第２の連結座をそれぞれ装着させ、隣接する他の椅子の前記第２の連結座および前記第１の連結座に対して嵌合させることを特徴とする請求項１に記載の連結および積み重ねが可能な椅子。
【考案の詳細な説明】
【技術分野】
【０００１】
本考案は、連結および積み重ねが可能な椅子に関し、特に、相互に嵌合する二つの連結座により複数の椅子を連結し、整然と配列する連結および積み重ねが可能な椅子に関する。
【背景技術】
【０００２】
市販されている椅子は、金属パイプによりフレームが構成されている。フレームは、両側の脚体を具え、脚体の後部から背板固定パイプがそれぞれ延長されている。フレームの両側の脚体の頂端に座板がネジで固定されている。二本の背板固定パイプの間には、背板がネジで固定されている。
【０００３】
講演会、会議などの会場では、多くの椅子を相互に隣接させ、一列に配列するが、従来の椅子には、他の椅子を連結する機構が設けられていなかったため、床の白線などに沿って配列したので、時間がかかり、整然と配列することができなかった。また、使用中に椅子が移動してしまい、見た目が悪く、改善する必要があった。
【０００４】
また、従来の椅子は、相互に積み重ねると、上の椅子が下の椅子の座板を越えるため、重心が前部にかかり、椅子をいくつか積み重ねただけで、傾いて倒れてしまう恐れがあった。また、上下の椅子の間には、隙間ができ、収納するのに場所を取り、運搬に不便であった。そのため、改良が待たれていた。
【先行技術文献】
【特許文献】
【０００５】
【特許文献１】特許第３７８９７３７号公報
【考案の概要】
【考案が解決しようとする課題】
【０００６】
本考案の目的は、相互に嵌合する二つの連結座により複数の椅子を連結し、整然と配列することができる、連結および積み重ねが可能な椅子を提供することにある。
【０００７】
上述の目的を達成するため、本考案は、連結および積み重ねが可能な椅子を提供する。本考案の連結および積み重ねが可能な椅子は、フレーム、座板、背板、第１の連結座および第２の連結座を含む。フレームは、両側に脚体をそれぞれ有する。二つの脚体の間に複数の固定パイプが連設されている。脚体の後部の頂端に背板パイプが斜め上方に向かって延伸している。座板は、脚体の頂端にネジで固定されている。背板は、二本の背板パイプにネジで固定されている。第１の連結座は、片側の脚体の底部に装着されている。第２の連結座は、もう一方の脚体の底部に装着されている。また、第２の連結座は、外側に第１の連結部が設けられている。二脚の椅子を相互に隣り合わせると、第１の連結座および第２の連結座の第１の連結部および第２の連結部が相互に嵌合し、二脚の椅子が固定される。
【考案の効果】
【０００８】
本考案の連結および積み重ねが可能な椅子は、以下の三つの長所を有する。（１）複数の椅子を隣り合わせに整然と配列することができる。（２）背板に取っ手穴が設けられているため、片手で椅子を持ち運ぶことができる。（３）座板の前部の両側に凹欠部を設けることにより、複数の椅子を積み重ねても上方の椅子の前端両側が座板の凹欠部内に入り込むため、積み重ねられた椅子の重心は、従来の椅子と異なり、後方に移動するので、椅子と椅子との間の隙間が少なくなり、積み重ねる高さを増加させ、より多くの椅子を積み重ね、収納空間を減少させ、簡単に運搬することができる。
【図面の簡単な説明】
【０００９】
【図１】本考案の一実施形態による連結および積み重ねが可能な椅子を示す分解斜視図である。
【図２】第１の連結座および脚体の組み合わせを示す斜視図である。
【図３】第２の連結座および脚体の組み合わせを示す斜視図である。
【図４】本考案の一実施形態による連結および積み重ねが可能な椅子を示す斜視図である。
【図５】第１の連結座および第２の連結座がフレームの底部に装着された状態を示す斜視図である。
【図６】複数の椅子が相互に連結した状態を示す斜視図である。
【図７】図６中の７エリアを示す拡大図である。
【図８】本考案の連結および積み重ねが可能な椅子が複数積み重ねられた状態を示す斜視図である。
【考案を実施するための形態】
【００１０】
以下、本考案の実施形態を図面に基づいて説明する。
【００１１】
図１〜７を参照する。図１は、本考案の一実施形態による連結および積み重ねが可能な椅子を示す分解斜視図である。図２は、第１の連結座および脚体の組み合わせを示す斜視図である。図３は、第２の連結座および脚体の組み合わせを示す斜視図である。図４は、本考案の一実施形態による連結および積み重ねが可能な椅子を示す斜視図である。図５は、第１の連結座および第２の連結座がフレームの底部に装着された状態を示す斜視図である。図６は、複数の椅子が相互に連結した状態を示す斜視図である。図７は、図６中の７エリアを示す拡大図である。図１〜７に示すように、本考案の連結および積み重ねが可能な椅子は、フレーム１０、座板２０、背板３０、第１の連結座４０および第２の連結座５０から構成される。
【００１２】
フレーム１０は、両側に脚体１１ａ、１１ｂをそれぞれ有する。二つの脚体１１ａ、１１ｂの間に複数の固定パイプ１２が連結されている。脚体１１ａ、１１ｂの後部の頂端に背板パイプ１３が斜め上方に向かって延長されている。座板２０は、脚体１１ａ、１１ｂの頂端にネジで固定されている。背板３０は、二本の背板パイプ１３にネジで固定されている。第１の連結座４０は、片側の脚体１１ｂの底部に装着されている。また、第１の連結座４０は、外側に第１の連結部４１が設けられている。第２の連結座５０は、他方の脚体１１ａの底部に装着されている。また、第２の連結座５０は、外側に第１の連結部５１が設けられている。二脚の椅子を相互に隣り合わせると、第１の連結座４０および第２の連結座５０の第１の連結部４１および第２の連結部５１が相互に嵌合し、二脚の椅子が連結して固定される。
【００１３】
図１および３を参照する。図１および３に示すように、脚体１１ａ、１１ｂの頂端に座板２０を支持する固定板１４が固設され、ネジにより座板２０を固定板１４上に固定している。座板２０は、底端の両側に、下方に向かって湾曲して延伸する湾曲部２１をそれぞれ設け、フレーム１０の脚体１１ａ、１１ｂの両側をしっかり包み込むように挟持しながら配置される。座板２０の底部に、フレーム１０の固定板１４に設けた位置決め孔１５に対応するように挿着される位置決め突起２２が設けられている。また、座板２０の底部に、フレーム１０の固定板１４にネジで固定する固定孔２３を設けている。
【００１４】
図１、３および８を参照する。図８は、本考案の連結および積み重ねが可能な椅子が複数積み重ねられた状態を示す斜視図である。図１、３および８に示すように、座板２０の前部の両側に凹欠部２４がそれぞれ設けられている。座板２０の前端は、斜め下方に向いているため、複数の椅子を積み重ねると上方の椅子の前端両側が座板２０の凹欠部２４内に入り込む。そのため、積み重ねられた椅子の重心は、従来の椅子と異なり、後方に移動するので、椅子と椅子との間の隙間が少なくなり、積み重ねる高さを増加させる。これにより、従来に比べ、より多くの椅子を積み重ねて、収納空間を減少させ、簡単に運搬することができる。
【００１５】
図１および３を参照する。図１および３に示すように、背板３０の両側にフレーム１０の背板パイプ１３を嵌合する嵌合孔３１を設けると共に側方からこの嵌合孔に相通する位置決め孔３１１を設ける。
また、背板パイプ１３の外側に固定孔１３１が設けられ、ネジが背板３０の位置決め孔３１１に貫通し、背板パイプ１３の固定孔１３１を固定する。これにより背板３０が２本の背板パイプ１３の間にしっかり固定される。
【００１６】
背板３０は、ユーザーが片手で椅子が持てるように取っ手穴３２を設けている。
【００１７】
図１、２、３、６および７を参照する。図１および２に示すように、第１の連結座４０の第１の連結部４１は、フックでもよい。図１および３に示すように、第２の連結座５０の第１の連結部５１は、挿嵌溝でもよい。図１、６および７に示すように、第１の連結座４０の第１の連結部４１は、他の椅子の対応する第２の連結座５０の第１の連結部５１に嵌合し、二脚の椅子を堅固に連結する。但し、第１の連結部４１および第１の連結部５１の形状はこれらに限定されるものではない。
【００１８】
図１〜図３を参照する。図１〜図３に示すように、フレーム１０は、金属パイプからなるが、脚体１１ａ、１１ｂの底部に溝１１１がそれぞれ設けられている。第１の連結座４０は、フレーム１０の脚体１１ａまたは１１ｂの底部を包み込むように挟持する挟持部４２を具えている。挟持部４２は、内側の縁に、脚体１１ａまたは１１ｂの底部の溝１１１に対応して嵌合する嵌合突部４２１を設けている。第２の連結座５０は、フレーム１０の脚体１１ａまたは１１ｂの底部を包み込むように挟持する挟持部５２を具えている。挟持部５２は、内側の縁に、脚体１１ａまたは１１ｂの底部の溝１１１に対応して嵌合する嵌合突起５２１を設けている。以上のように、第１の連結座４０および第２の連結座５０は、フレーム１０の脚体１１ａ、１１ｂの底部をしっかり固定する。
【００１９】
本考案の連結および積み重ねが可能な椅子は、脚体１１ａ、１１ｂの底部に第１の連結座４０および第２の連結座５０をそれぞれ装着させ、隣接する他の椅子の第２の連結座５０および第１の連結座４０に対応するように嵌合させる。
【００２０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２１】
１０  フレーム
１１ａ  脚体
１１ｂ  脚体
１２  固定パイプ
１３  背板パイプ
１４  固定板
１５  位置決め孔
２０  座板
２１  湾曲部
２２  位置決め突起
２３  固定孔
２４  凹欠部
３０  背板
３１  嵌合孔
３２  取っ手穴
４０  第１の連結座
４１  第１の連結部
４２  挟持部
５０  第２の連結座
５１  第２の連結部
５２  挟持部
１１１  溝
１３１  固定孔
３１１  位置決め孔
４２１  嵌合突部
５２１  嵌合突起
【図１】
0003163124.tif 000003
【図２】
0003163124.tif 000004
【図３】
0003163124.tif 000005
【図４】
0003163124.tif 000006
【図５】
0003163124.tif 000007
【図６】
0003163124.tif 000008
【図７】
0003163124.tif 000009
【図８】
0003163124.tif 000010